(57)【特許請求の範囲】
【請求項１】
引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる掘込ベースと、掘込ベースの内部の端部に回転自在に設けられる複数のプーリと、複数のプーリの間に掛け渡される無端条体と、無端条体に固設され隣接する引戸に係合されるスライダとが一体組付けされる連動引戸ユニット。
【請求項２】
引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる基部と対の脚部とを備える断面視略々コ字状を呈する掘込ベースと、掘込ベースよりも狭幅の断面視略々コ字状を呈し掘込ベースの内部に固着されて長尺状を呈する取付ベースとを備え、掘込ベースと取付ベースとには、無端条体を回転自在に掛け渡す複数のプーリの収納空間と無端条体に固設されて移動するスライダの案内空間がコ字状空間として構成される連動引戸ユニット。
【請求項３】
引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる基部と対の脚部とを備える断面視略々コ字状を呈する掘込ベースと、掘込ベースよりも狭幅の断面視略々コ字状を呈し掘込ベースの内部に固着されて長尺状を呈する取付ベースとを備え、掘込ベースの基部には取付ベースの基部側へ突出するスペーサを備え、掘込ベースのスペーサと取付ベースの基部との間にはプーリが水平方向に回転自在に設けられ、掘込ベースの脚部に対してスペーサと取付ベースの脚部とでスライダの案内空間を縦長に仕切る連動引戸ユニット。
【請求項４】
請求項２または３記載の連動引戸ユニットにおいて、取付ベースのコ字状内部には引戸をガイドするガイドレールの案内空間が構成されていることを特徴とする連動引戸ユニット。
【請求項５】
引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる掘込ベースと、掘込ベースの内部の端部に回転自在に設けられる複数のプーリと、複数のプーリの間に掛け渡される無端条体と、無端条体に固設され隣接する引戸に係合されるスライダとが一体組付けされ、さらに隣接する引戸に取付けされてスライダに係合するガイド受け部材とが組み合わせされてなる連動引戸ユニット。
【発明の詳細な説明】
【０００１】
【発明の属する技術分野】
本発明は、複数の引戸を連動させる連動引戸に関する。
【０００２】
【従来の技術】
この種の従来の連動引戸装置としては、例えば特許第３０３５２２４号公報に開示される三連式引戸に記載されたものがある。この三連式引戸では、中央の戸の上部にワイヤーを架けられたプーリとワイヤーに固定された連結部とからなる連動機構を設け、連結部は突起を備え、突起を隣接する２枚の戸の凹部に嵌合させて連動するものである。また、各戸の下部には戸の荷重を支える戸車が設けられ、戸車の走行するレールが各戸に対応して設けられたものであり、下戸車式の引戸に用いられる連動機構となっている。
【０００３】
また、実公昭５８−３３３５４号公報に開示される連動引戸に記載されたものは、中央の戸の上部に伝動部材が架けられた回転子と伝動部材に固着された固着具とからなる連動機構を設け、隣接する２枚の戸の上縁部を固着具で固着して、連動するものである。この引戸は、上部にランナー部材を備え、下部にガイド部材（レール突条）を備える上吊り式の引戸に用いられる連動機構となっている。
【０００４】
また、特開平１−１６５８９４号公報に開示される吊戸の連動装置に記載されたものは、薄壁側の戸の上部にロープを架けられた一対の滑車とロープに固着された継手とからなる連動機構を設け、隣接する戸の端面及び薄壁の縦枠（方立）を継手で固着して、連動するものである。この引戸は、上部にランナー部材（ローラ）を備える上吊り式の引戸に用いられる連動機構となっている。
【０００５】
【発明が解決しようとする課題】
ここで、特許第３０３５２２４号公報に開示される三連式引戸の連動機構は、各戸の上端が上枠の上レールの凹溝にはめ込まれ、下部の戸車で荷重を支える引戸に限定されたものであり、汎用性に欠けるという問題があった。
【０００６】
また、連動機構が引戸の上部に見えてしまい、外観を損ねるという問題もあった。
【０００７】
実公昭５８−３３３５４号公報に開示される連動引戸の連動機構は、上部のランナー部材で吊る引戸に限定されたもの（連動機構が上部のランナー部材と組み付けられ、上枠内に設けられた構造）であり、汎用性に欠けるという問題があった。
【０００８】
また、隣接する２枚の戸の上縁部を上枠内で、固着具により伝動部材と固着するので、組立の作業性が悪いという問題があった。
【０００９】
特開平１−１６５８９４号公報に開示される連動引戸は、上部のランナー部材で吊る引戸に限定されたものであり、汎用性に欠けるという問題があった。
【００１０】
また、上部にランナー部材と連動機構が共に設けられるので、構造が複雑になり、その結果、高価な装置になること、及び、連動機構が引戸の上部に見えてしまい、外観を損ねるという問題もあった。
【００１１】
本発明は、このような問題点を考慮してなされたもので、上吊り式の引戸、下戸車式の引戸、及び、外付け式の引戸にも適用可能とするために連動機構をユニット化し、汎用性の高めることで安価な装置とし、加えて、連動機構が見えないようにして外観を損なわない連動引戸ユニットを提供することを課題とする。
【００１２】
【課題を解決するための手段】
前述の課題を解決するため、本発明に係る連動引戸ユニットは、次のような手段を採用する。
【００１３】
即ち、請求項１に記載のように、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる掘込ベースと、掘込ベースの内部の端部に回転自在に設けられる複数のプーリと、複数のプーリの間に掛け渡される無端条体と、無端条体に固設され隣接する引戸に係合されるスライダとが一体組付けされる。
【００１４】
この手段では、戸厚よりも狭幅の掘込ベースに連動機構を構成する複数のプーリ、無端条体、スライダが一体に組み込まれ、ランナー部材や戸車などとは別ユニットとされ、別個に掘込んで取付けられる。
【００１５】
また、請求項２に記載のように、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる基部と対の脚部とを備える断面視略々コ字状を呈する掘込ベースと、掘込ベースよりも狭幅の断面視略々コ字状を呈し掘込ベースの内部に固着されて長尺状を呈する取付ベースとを備え、掘込ベースと取付ベースとには、無端条体を回転自在に掛け渡す複数のプーリの収納空間と無端条体に固設されて移動するスライダの案内空間がコ字状空間として構成される。
【００１６】
この手段では、断面視略々コ字状の掘込ベースと掘込ベースよりも狭幅で断面視略々コ字状の取付ベースとの組合せ組付けによってコ字状空間が形成され、スライダの案内空間とプーリの収納空間が確保される。
【００１７】
また、請求項３に記載のように、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる基部と対の脚部とを備える断面視略々コ字状を呈する掘込ベースと、掘込ベースよりも狭幅の断面視略々コ字状を呈し掘込ベースの内部に固着されて長尺状を呈する取付ベースとを備え、掘込ベースの基部には取付ベースの基部側へ突出するスペーサを備え、掘込ベースのスペーサと取付ベースの基部との間にはプーリが水平方向に回転自在に設けられ、掘込ベースの脚部に対してスペーサと取付ベースの脚部とでスライダの案内空間を縦長に仕切る。
【００１８】
この手段では、スライダの案内空間が取付ベースの基部と、スペーサと取付ベースの脚部とで縦長に仕切られて、スライダを縦長に案内する案内空間が確保される。
【００１９】
また、請求項４に記載のように、請求項２または３記載の連動引戸ユニットにおいて、取付ベースのコ字状内部には引戸をガイドするガイドレールの案内空間が構成されていることを特徴とする。
【００２０】
この手段では、取付ベースのコ字状内部に構成されるガイドレールの案内空間で引戸のガイドが可能とされる。
【００２１】
また、請求項５に記載のように、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に掘込して取付けされる掘込ベースと、掘込ベースの内部の端部に回転自在に設けられる複数のプーリと、複数のプーリの間に掛け渡される無端条体と、無端条体に固設され隣接する引戸に係合されるスライダとが一体組付けされ、さらに隣接する引戸に取付けされてスライダに係合するガイド受け部材とが組み合わせされてなる。
【００２２】
この手段では、掘込ベースの内部に連動機構を構成する複数のプーリ、無端条体、スライダが一体に組み込まれ、隣接する引戸にガイド受け部材が取付けられてスライダと係合し、ランナー部材や戸車などとは別ユニットとされ、引戸に隠れて連動開閉を可能にする。
【００２３】
【発明の実施の形態】
以下、本発明に係る連動引戸ユニットについて、その実施の形態を図面に基づいて説明する。
【００２４】
図１〜図４は、本発明に係る連動引戸ユニットの実施の形態（１）を示すものである。
【００２５】
この実施の形態における連動引戸ユニット１００は、引戸１ａの下端面１ｄに取付けられ、隣接する引戸１ｂに係合して連動開閉するためのものであり、引戸１ａ、１ｂの上部のランナー部材Ｒ１、Ｒ２で引戸を吊り、下部をガイドする上吊り式の引戸を連動可能とするものである。
【００２６】
連動引戸ユニット１００は、掘込ベース２と、複数のプーリ３と、無端条体４と、スライダ５（５ａ、５ｂ）とが一体組付けされたものである。
【００２７】
掘込ベース２は、引戸１ａの戸厚ｔよりも狭幅Ｗで、引戸１ａの開閉方向にわたる長尺状を呈し、引戸１ａの下端面１ｄに掘込して、複数のビス２４で引戸１ａに取付けされている。また、掘込ベース２は、断面視略々コ字状を呈しており、基部２１と対の脚部２２とを備えている。さらに、掘込ベースの基部２１には、後述する取付ベース６の基部側へ突出するスペーサ２３を備えている。このスペーサ２３には、突起部２３ａが引戸１ａの開閉方向にわたって設けられ、スライダ５の抜け止め機能をなしている。
【００２８】
プーリ３は、掘込ベース２の内部の端部に回転自在に設けられる複数（２個）の円盤状部材であり、円盤の外周部に無端条体４が架け渡される溝３１を有している。
【００２９】
無端条体４は、複数（２個）のプーリ３の間に掛け渡されるワイヤまたはベルトであり、たるみやスリップを生じないように適度な張力を与えられて取付けられている。また、スライダ５（５ａ、５ｂ）を無端条体４に固設するための固定片４１、４１が固着されている。
【００３０】
スライダ５（５ｂ）は、無端条体４に固設され、隣接する引戸１ｂに係合されるものであり、スライダ５ａは、固定面である床面Ｆに木ねじ７２で固定されたガイドレール７に係合されるものとなっている。スライダ５（５ａ、５ｂ）は、堀込みベース２内を摺動する摺動部５３と、摺動部５３から直角に折れ曲がり水平方向に延びる連結片５２と、隣接する折戸１ｂと係合する係合片５１とからなる。
【００３１】
なお、スライダ５ａは係合溝５７を有し、ガイドレール７のガイド片７３と係合しているが、このスライダ５ａとガイドレール７の係合では、雌雄を逆にすることは容易に可能である。また、この実施の形態（１）では引戸は２つとしているが、３連の引戸の場合は、スライダ５ａが衝立１ｃの位置に設けられる引戸に係合されるものとなる。また、摺動部５３に設けた溝５４に無端条体４上の固定片４１、４１が嵌合し、溝５４の両側に延びる細溝５４ａをワイヤが通ることによりスライダ５（５ｂ）の無端条体４への固設が行われる。また、摺動部５３に抜け止め用の溝５６が設けられ、掘込ベース２のスペーサ２３の突起部２３ａと嵌合している。
【００３２】
なお、以上の連動引戸ユニット１００に、掘込ベース２よりも狭幅Ｂで断面視略々コ字状を呈し、掘込ベース２の内部に固着されて長尺状を呈する取付ベース６を備えることもできる。
【００３３】
取付ベース６は、プーリ固定軸部材３２により、プーリ３を挟み込んで掘込ベース２に設けられたねじ孔２５に取付けられる。また、取付ベース６のコ字状内部６１には引戸１ａをガイドするガイドレール７の案内空間７１が構成されている。
【００３４】
さらに、掘込ベース２と取付ベース６とには、無端条体４を回転自在に掛け渡す複数（２個）のプーリ３の収納空間８と、無端条体４に固設されて移動するスライダ５の案内空間８１がコ字状空間として構成される。また、掘込ベース２の基部２１のスペーサ２３と取付ベース６の基部６２との間には、プーリ３が水平方向に回転自在に設けられ、掘込ベース２の脚部２２に対してスペーサ２３と取付ベース６の脚部６３とでスライダ５の案内空間８１を縦長に仕切るようになっている。
【００３５】
また、連動引戸ユニット１００に、隣接する引戸１ｂに取付けされてスライダ５ｂに係合するガイド受け部材５５とを組み合わせることもできる。ガイド受け部材５５は、スライダ５ｂの係合片５１と嵌合する係合溝５５１を備え、木ねじ５５２で引戸１ｂに固定されている。なお、係合片５１と係合溝５５１の関係は雌雄を逆にすることは容易に可能であり、同様の機能を発揮する構成となる。
【００３６】
以上の構成による連動引戸ユニット１００の作動について、以下に説明する。
【００３７】
図４は、連動引戸ユニット１００を上から見た図で、図４（ａ）の全開状態から引戸１ｂを閉じ方向へ動かすと、引戸１ｂのガイド受け部材５５の移動に伴い、係合溝５５１に嵌合されて引戸１ａに設けられたスライダ５ｂの係合片５１も閉じ方向（矢印Ａ方向）へ移動しようとする。スライダ５ｂに作用する力は、スライダ５ｂに固着された無端条体４をＡ方向に動かそうとする。ここで、もう一方のスライダ５ａは床面Ｆに固定されたガイドレール７に係合しており、スライダ５ａは動くことができないので、スライダ５ａの位置は変化せず、無端条体４及びプーリ３１ａ、３１ｂが矢印Ｃ、矢印Ｄの方向に回転することになる。これにより、引戸１ａは無端条体４に引っ張られて閉じ方向（Ａ方向）に進むことになる。引戸１ａが進む速度及び移動距離は引戸１ｂの速度及び移動距離の１／２となり、引戸１ａは全閉位置まで引戸１ｂを動かすのみで、全閉状態とすることができる。
【００３８】
図４（ｂ）の全閉状態から引戸を開くときは、前述の閉じる動きとほぼ逆の作動となる。すなわち、引戸１ｂを開く方向（Ａ’方向）へ動かすと、連動引戸ユニット１００によりスライダ５ｂに設けられた係合片５１が引戸１ａを動かそうとし、無端条体４及びプーリ３１ａ、３１ｂが矢印Ｃ’、矢印Ｄ’の方向に回転して、引戸１ａは開き方向へ動くようになる。したがって、引戸１ｂを全開位置まで動かすのみで、引戸１ａを全開状態とすることができる。
【００３９】
この実施の形態（１）によれば、連動引戸ユニット１００は、引戸１ａの下端面１ｄに取付けられ、隣接する引戸１ｂに係合して連動開閉するものであって、掘込ベース２が、引戸１ａの戸厚ｔよりも狭幅Ｗで、引戸１ａの開閉方向にわたって長尺状を呈し、引戸１ａの下端面１ｄに掘込して取付けされる形状であり、複数のプーリ３は、ワイヤなどの無端条体４を架け渡されて掘込ベース２の内部の端部に設けられ、スライダ５は無端条体４に固設されて、隣接する引戸１ｂに係合され、掘込ベース２、複数のプーリ３、無端条体４、スライダ５が一体組付けされている。したがって、ランナー部材Ｒ１、Ｒ２や戸車（ここでは図示しない）などとは別ユニットとして、引戸１ａの下端面にこの連動引戸ユニット１００は取付可能である。これにより、既存のランナー部材Ｒ１、Ｒ２や戸車をそのまま使用でき、引戸の改造だけで連動引戸にできるので、安価なものとできる。
また、この連動引戸ユニット１００は、引戸１ａの下端面に掘込して取付けされる形状なので、引戸１ａの外部から見えない構造とでき、外観を損ねることがない。
【００４０】
また、掘込ベース２は、その基部２１と脚部２２が断面視略々コ字形状であり、取付ベース６は、掘込ベース２よりも狭幅Ｂの断面視略々コ字状で、掘込ベース２の内部に固着されて長尺状を呈しており、この掘込ベース２と取付ベース６とで、プーリ３の収納空間８が形成され、その収納空間８はコ字状空間となっている。また、無端条体４に固設されて移動するスライダ５の案内空間８１が形成され、その案内空間８１もコ字状空間となっている。これにより、プーリ３がコ字状に形成された収納空間８で安定して支持され、また、スライダ５がコ字状に形成された案内空間８１で安定して支持されることになる。
【００４１】
また、プーリ３が、掘込ベース２の基部２１のスペーサ２３と取付ベース６の基部６２との間に設けられ、スライダ５の案内空間８１が、スペーサ２３と取付ベース６の脚部６３とで縦長に仕切られている。これにより、プーリ３がスペーサ２３により掘込ベース２の基部２１から離間して設けられるので、安定して回転自在に支持され、また、スライダ５が縦長に仕切られた案内空間８１に沿って垂直方向に延びることを可能にして支持される。
【００４２】
また、引戸３をガイドするガイドレール７の案内空間７１が取付ベース６のコ字状内部に構成されるので、この案内空間６１にガイド機構を設けることで、引戸１ａが振れることなくガイドされる。
【００４３】
また、ガイド受け部材５５が隣接する引戸１ｂに取付けされてスライダ５ｂに係合するので、隣接する引戸１ｂにスライダ５ｂを直接係合させる必要がなく、さらに汎用性が高められる。
【００４４】
図５〜６は、本発明に係る実施の形態（２）を示すものである。
【００４５】
この実施の形態における連動引戸ユニット２００は、下戸車式の引戸に対して適用するものであり、実施の形態（１）の連動引戸ユニット１００をそっくり引戸の上部に持ってきたものである。
【００４６】
すなわち、引戸１ａ、１ｂの下部には、戸車９と、戸車９が走行するレール９１と、戸車９の調整機構９２などが設けられて支持され、上枠Ｕをガイドレール７として、上部に連動引戸ユニット２００が設けられているものである。
【００４７】
この実施の形態の連動引戸ユニット２００によれば、実施の形態（１）と同様の作用、効果が奏されるので、下戸車式の引戸に対しても上吊り式の引戸と同じユニットが使用でき、汎用性が高められる。その結果、安価な連動引戸装置とすることができる。
【００４８】
図７は、本発明に係る実施の形態（３）を示すものである。
【００４９】
この実施の形態における連動引戸ユニット３００は、実施の形態（２）と同じ下戸車式の引戸であるが、ドア枠１ｃにかぶせて取付ける引戸１ａ、１ｂに対して適用するものであり、実施の形態（１）の連動引戸ユニット１００をそっくり引戸の上部に持ってきたものである。ここで、引戸１ａ、１ｂの上部にはガイドレールＧが壁面Ｋに取付けられ水平に張り出して設けられ、ガイドレール７がボルト、ナットで固定されている。また、隣接する引戸１ｂの上部には、ガイドローラ７４が設けられ、ガイドレールＧのレール溝７５にガイドされている。
【００５０】
この実施の形態（３）の連動引戸ユニット３００によれば、実施の形態（１）と同様の作用、効果が奏されるので、外付け式の引戸に対しても上吊り式の引戸と同じユニットが使用でき、汎用性が高められる。その結果、安価な連動引戸装置とすることができる。
【００５１】
図８は、本発明に係る実施の形態（４）を示すものである。
【００５２】
この実施の形態では、連動引戸ユニットは実施の形態（１）〜（３）のどれでもよく、引戸１ｂの走向方向の長さ（幅）を引戸１ａや衝立１ｃの幅よりも少し長くして、引き残しＨを与えたものである。
【００５３】
この実施の形態（４）によれば、実施の形態（１）と同様の作用、効果が奏されることに加え、引戸を全開状態から閉じ始める際に、引き残しＨにより取手などに手を掛けるのが容易となる。
【００５４】
なお、各実施の形態では、引戸は２枚としているが、引戸を３連の連動式にすることは、衝立１ｃの位置に３枚目の引戸を設け、スライダ５ａを３枚目の引戸に係合されることで容易に可能となる。
【００５５】
【発明の効果】
以上のように、本発明の請求項１に係る連動引戸ユニットは、掘込ベース、複数のプーリ、無端条体、スライダが一体組付けされて、引戸の上端面または下端面に取付けられ、隣接する引戸に係合して連動開閉するものであるので、ランナー部材や戸車などとは別ユニットとして、引戸の上端面にも下端面にもこの連動引戸ユニットを取付可能である。これにより、既存のランナー部材や戸車をそのまま使用でき、引戸の改造だけで連動引戸にできるので、安価なものとできる。また、この連動引戸ユニットは、引戸の上端面または下端面に掘込して取付けされる形状なので、引戸の外部から見えない構造にできるという効果がある。
【００５６】
また、本発明の請求項２に係る連動引戸ユニットは、掘込ベースと取付ベースとで、無端条体を回転自在に掛け渡す複数のプーリの収納空間が形成され、その収納空間はコ字状空間となっており、無端条体に固設されて移動するスライダの案内空間が形成され、その案内空間もコ字状空間となっているので、プーリがコ字状に形成された収納空間で安定して支持され、スライダがコ字状に形成された案内空間で安定して支持されるという効果がある。
【００５７】
また、本発明の請求項３に係る連動引戸ユニットは、プーリが、掘込ベースの基部のスペーサと取付ベースの基部との間に設けられ、スライダの案内空間が、スペーサと取付ベースの脚部とで縦長に仕切られるので、プーリがスペーサにより掘込ベースの基部から離間して設けられて、安定して回転自在に支持され、また、スライダが縦長に仕切られた案内空間に沿って垂直方向に延びることを可能にして支持されるという効果がある。
【００５８】
また、本発明の請求項５に係る連動引戸ユニットは、掘込ベース、複数のプーリ、無端条体、スライダが一体組付けされているのに対し、ガイド受け部材を設けることで、隣接する引戸にスライダを直接係合させる必要がないので、さらに汎用性が高められるという効果がある。
【図面の簡単な説明】
【図１】  本発明に係る連動引戸ユニットの実施の形態（１）を示す斜視図である。
【図２】  本発明に係る連動引戸ユニットの実施の形態（１）を示す横断面図である。
【図３】  本発明に係る連動引戸ユニットの実施の形態（１）を示す分解斜視図である。
【図４】  本発明に係る連動引戸ユニットの実施の形態（１）を示す平面である。（ａ）は全開状態、（ｂ）は全閉状態を示す。
【図５】  本発明に係る連動引戸ユニットの実施の形態（２）を示す横断面図である。
【図６】  本発明に係る連動引戸ユニットの実施の形態（２）を示す斜視図である。
【図７】  本発明に係る連動引戸ユニットの実施の形態（３）を示す横断面図である。
【図８】  本発明に係る連動引戸ユニットの実施の形態（４）を示す平面図である。（ａ）は全開状態、（ｂ）は全閉状態を示す。
【符号の説明】
１ａ              引戸
１ｂ              引戸
１ｃ              衝立
１ｄ              下端面
２                堀込ベース
３                プーリ
４                無端条体
５（５ａ、５ｂ）  スライダ
６                取付ベース
７                ガイドレール
８                収納空間
９                戸車
２１              基部
２２              脚部
２３              スペーサ
３１              溝
３２              プーリ固定軸部材
５１              係合片
５５              ガイド受け部材
６１              コ字状内部
６２              基部
６３              脚部
７１              案内空間
８１              案内空間
９１              レール
１００、２００、３００  連動引戸ユニット
５５１            係合溝
【図１】
0004469115.tif 000002
【図２】
0004469115.tif 000003
【図３】
0004469115.tif 000004
【図４】
0004469115.tif 000005
【図５】
0004469115.tif 000006
【図６】
0004469115.tif 000007
【図７】
0004469115.tif 000008
【図８】
0004469115.tif 000009